(57)【特許請求の範囲】
【請求項１】
慶弔金が入った封筒を移送する移送部と、
前記移送部の端部に配置され、前記封筒の両側を固定した状態で前記封筒の入口が開かれるように前記封筒に力を加える加圧部と、
前記加圧部により入口が開かれた前記封筒から慶弔金を取り出す分離部と、
を備えることを特徴とする慶弔金が収納された封筒と紙幣との分離装置。
【請求項２】
前記移送部は、前記封筒を移送するコンベヤーベルトと前記コンベヤーベルトに沿って移送される封筒のカバーに回転摩擦力を加えて、該カバーが開かれるようにする回転ブラシとを備え、
前記加圧部は、前記移送部から移送された封筒の両側の角を案内するガイド部及び前記ガイド部に対して前記封筒の側方の角に対して垂直な方向に出没可能に設けられた加圧部材を備え、
前記分離部は、前記封筒の入口に接近して、前記封筒の内部に挿入される一対のピン部材及び前記封筒の入口が下方に向けるように回転させる回転軸を備えることを特徴とする請求項１に記載の慶弔金が収納された封筒と紙幣との分離装置。
【請求項３】
前記移送部は、前記封筒を移送するコンベヤーベルトと前記コンベヤーベルトに沿って移送される封筒のカバーに回転摩擦力を加えて、該カバーが開かれるようにする回転ブラシとを備え、
前記加圧部は、前記移送部から移送された封筒の両側の角を案内するガイド部及び前記ガイド部に対して前記封筒の側方の角に対して垂直な方向に出没可能に設けられた加圧部材を備え、
前記分離部は、前記封筒の入口に接近して、前記封筒の内部に向けて空気を噴射するエアーノズル及び前記封筒の入口が下方に向けるように回転させる回転軸を備えることを特徴とする請求項１に記載の慶弔金が収納された封筒と紙幣との分離装置。
【請求項４】
前記移送部は、前記封筒を移送するコンベヤーベルトと前記コンベヤーベルトに沿って移送される封筒のカバーに回転摩擦力を加えて、該カバーが開かれるようにする回転ブラシとを備え、
前記加圧部は、前記移送部から移送された封筒の両側の角を案内するガイド部及び前記ガイド部に対して前記封筒の側方の角に対して垂直な方向に出没可能に設けられた加圧部材を備え、
前記分離部は、前記封筒の上面と下面とに接近して、前記封筒の上面と下面とが互いに遠ざかる方向に吸着力が作用する一対の吸着板及び前記封筒の入口が下方に向けるように回転させる回転軸を備えることを特徴とする請求項１に記載の慶弔金が収納された封筒と紙幣との分離装置。
【請求項５】
前記移送部は、前記封筒を移送するコンベヤーベルトと前記コンベヤーベルトに沿って移送される封筒のカバーに回転摩擦力を加えて、該カバーが開かれるようにする回転ブラシとを備え、
前記加圧部は、前記移送部から移送された封筒の両側の角を案内するガイド部及び前記ガイド部に対して前記封筒の側方の角に対して垂直な方向に出没可能に設けられた加圧部材を備え、
前記分離部は、前記封筒の入口に接近して、前記封筒の内部に挿入され、該封筒に収納された慶弔金を取り出すやっとこ形態のピックアップ部材を備えることを特徴とする請求項１に記載の慶弔金が収納された封筒と紙幣との分離装置。
【請求項６】
請求項１〜５のいずれか１項の分離装置を備え、
前記封筒に書かれた人名情報を文字として認識する文字認識部と、
前記分離装置から分離された紙幣を計数する紙幣計数部と、
前記文字認識部で認識した人名情報と前記紙幣計数部で計数された慶弔金情報とを保存するメモリ部と、
前記メモリ部に保存された情報を加工処理するデータ処理部と、
を備えることを特徴とする慶弔金自動受付処理システム。
【発明の詳細な説明】
【技術分野】
【０００１】
本発明は、慶弔金の受付に関し、特に、慶弔金が収納された封筒と紙幣とを自動で分離して自動で受け付けることができる装置及び該装置を含む慶弔金自動受付処理システムに関する。
【背景技術】
【０００２】
一般に、韓国のような東洋圏の国家では、伝統的な行使である結婚と葬礼等の手続きにおいて、訪問する賀客や弔問客が慶弔金を伝達する文化がある。この場合、慶弔金の受付は、手作業で行われることが一般的である。すなわち、賀客や弔問客が慶弔金が含まれた封筒を受付者に伝達し、芳名録に署名してから行使に参与する。通常、慶弔金が含まれた封筒の裏面には賀客や弔問客の名前が書かれている。受付者は、慶弔金封筒に入った慶弔金の額と訪問した人の名前を確認した後、別の帳簿に記録することにより、慶弔金に対する受付処理をするのが一般的である。
【０００３】
ところが、このように手作業で処理する慶弔金受付処理は、煩雑なだけでなく、慶弔金の紛失や横領等の問題が発生できる。
【０００４】
近年、電子技術の発達につれて、信用カードで慶弔金を支払うことができるシステムや、ユーザが直接自分の名前等の情報を入力した後、現金を機械に受け付けるシステムが開発された。例えば、大韓民国公開特許第２０１０−００３７３８８のような発明がある。
【０００５】
しかし、公知の慶弔金自動受付処理システムは、賀客や弔問客が直接自分の情報を入力しなければならないという不便さがあり、慶弔金が入った封筒から慶弔金を分離して受け付けなければならないため、わずらわしいという問題点がある。
【先行技術文献】
【特許文献】
【０００６】
【特許文献１】大韓民国公開特許第２０１０−００３７３８８号明細書
【発明の概要】
【発明が解決しようとする課題】
【０００７】
本発明の目的は、上記のような問題点を解消するために案出されたものであって、慶弔金が入った封筒から慶弔金を自動で分離するようにして、慶弔金の受付を自動で処理できる装置を提供することにある。また、本発明の目的は、慶弔金封筒に記載された賀客や弔問客の人的事項を自動で認識して、慶弔金受付処理をすることができる慶弔金自動受付処理システムを提供することにある。
【課題を解決するための手段】
【０００８】
本発明に係る慶弔金が収納された封筒と紙幣との分離装置は、慶弔金が入った封筒を移送する移送部と、前記移送部の端部に配置され、前記封筒の両側を固定した状態で前記封筒の入口が開かれるように前記封筒に力を加える加圧部と、前記加圧部により入口が開かれた前記封筒から慶弔金を取り出す分離部とを備える点に特徴がある。
【０００９】
前記移送部は、前記封筒を移送するコンベヤーベルトと前記コンベヤーベルトに沿って移送される封筒のカバーに回転摩擦力を加えて、該カバーが開かれるようにする回転ブラシとを備え、前記加圧部は、前記移送部から移送された封筒の両側の角を案内するガイド部及び前記ガイド部に対して前記封筒の側方の角に対して垂直な方向に出没可能に設けられた加圧部材を備え、前記分離部は、前記封筒の入口に接近して、前記封筒の内部に挿入される一対のピン部材及び前記封筒の入口が下方に向けるように回転させる回転軸を備えることができる。
【００１０】
前記移送部は、前記封筒を移送するコンベヤーベルトと前記コンベヤーベルトに沿って移送される封筒のカバーに回転摩擦力を加えて、該カバーが開かれるようにする回転ブラシとを備え、前記加圧部は、前記移送部から移送された封筒の両側の角を案内するガイド部及び前記ガイド部に対して前記封筒の側方の角に対して垂直な方向に出没可能に設けられた加圧部材を備え、前記分離部は、前記封筒の入口に接近して、前記封筒の内部に向けて空気を噴射するエアーノズル及び前記封筒の入口が下方に向けるように回転させる回転軸を備えることができる。
【００１１】
前記移送部は、前記封筒を移送するコンベヤーベルトと前記コンベヤーベルトに沿って移送される封筒のカバーに回転摩擦力を加えて、該カバーが開かれるようにする回転ブラシとを備え、前記加圧部は、前記移送部から移送された封筒の両側の角を案内するガイド部及び前記ガイド部に対して前記封筒の側方の角に対して垂直な方向に出没可能に設けられた加圧部材を備え、前記分離部は、前記封筒の上面と下面とに接近して、前記封筒の上面と下面とが互いに遠ざかる方向に吸着力が作用する一対の吸着板及び前記封筒の入口が下方に向けるように回転させる回転軸を備えることができる。
【００１２】
前記移送部は、前記封筒を移送するコンベヤーベルトと前記コンベヤーベルトに沿って移送される封筒のカバーに回転摩擦力を加えて、該カバーが開くようにする回転ブラシとを備え、前記加圧部は、前記移送部から移送された封筒の両側の角を案内するガイド部及び前記ガイド部に対して前記封筒の側方の角に対して垂直な方向に出没可能に設けられた加圧部材を備え、前記分離部は、前記封筒の入口に接近して、前記封筒の内部に挿入され、該封筒に収納された慶弔金を取り出すやっとこ形態のピックアップ部材を備えることができる。
【００１３】
本発明に係る慶弔金自動受付処理システムは、前記分離装置のうち、いずれか１つを備え、前記封筒に書かれた人名情報を文字として認識する文字認識部と、前記分離装置から分離された紙幣を計数する紙幣計数部と、前記文字認識部で認識した人名情報と前記紙幣計数部で計数された慶弔金情報とを保存するメモリ部と、前記メモリ部に保存された情報を加工処理するデータ処理部とを備えた点に特徴がある。
【発明の効果】
【００１４】
本発明に係る慶弔金が収納された封筒と紙幣との分離装置は、自動で紙幣と封筒とを分離できるので、受付者が個別的に封筒と慶弔金とを確認する必要がなく、慶弔金の受付効率を顕著に向上させるという効果を提供する。
【００１５】
また、本発明に係る慶弔金自動受付処理システムは、封筒に記載された人名情報を文字として認識して保存し、分離装置から分離された慶弔金を計数してデータを格納及び処理できるので、慶弔金の受付処理の効率性及びデータの後加工等が顕著に向上する。
【図面の簡単な説明】
【００１６】
【図１】本発明に係る慶弔金自動処理システムの概略的な構成図である。
【図２】図１に示された分離装置の第１実施形態を説明するための図である。
【図３】図１に示された分離装置の第１実施形態を説明するための図である。
【図４】図１に示された分離装置の第１実施形態を説明するための図である。
【図５】図２に示された分離装置において移送部の縦断面を概略的に示す図である。
【図６】図１に示された分離装置の第２実施形態を説明するための図である。
【図７】図１に示された分離装置の第２実施形態を説明するための図である。
【図８】図１に示された分離装置の第２実施形態を説明するための図である。
【図９】図１に示された分離装置の第３実施形態を説明するための図である。
【図１０】図１に示された分離装置の第３実施形態を説明するための図である。
【図１１】図１に示された分離装置の第３実施形態を説明するための図である。
【図１２】図１に示された分離装置の第４実施形態を説明するための図である。
【図１３】図１に示された分離装置の第４実施形態を説明するための図である。
【図１４】図１に示された分離装置の第４実施形態を説明するための図である。
【図１５】図１に示された分離装置の第４実施形態を説明するための図である。
【発明を実施するための形態】
【００１７】
以下、本発明に係る実施形態を添付された図面を参照しながら、詳細に説明する。
【００１８】
図１は、本発明に係る慶弔金自動処理システムの概略的な構成図である。図２ないし図４は、図１に示された分離装置の第１実施形態を説明するための図である。図５は、図２に示された分離装置において移送部の縦断面を概略的に示す図である。図６ないし図８は、図１に示された分離装置の第２実施形態を説明するための図である。図９ないし図１１は、図１に示された分離装置の第３実施形態を説明するための図である。図１２ないし図１５は、図１に示された分離装置の第４実施形態を説明するための図である。
【００１９】
図１に示すように、本発明に係る慶弔金自動受付処理システム１０は、文字認識部２０と、分離装置３１と、紙幣計数部４０と、メモリ部５０と、データ処理部６０とを備えている。
【００２０】
前記文字認識部２０は、封筒１００に記載された人名情報をイメージとして読み取った後、文字に変換する作用をする。前記文字認識部２０は、後述の分離装置３１の移送部３１０に設けて、慶弔金が収納された封筒１００と紙幣２００とが分離される前に、封筒１００に記載された賀客や弔問客の人名情報を認識することが好ましい。前記文字認識部２０は、例えば、光学文字認識（ＯＣＲ、ｏｐｔｉｃａｌ  ｃｈａｒａｃｔｅｒ  ｒｅｃｏｇｎｉｔｉｏｎ）装置のような公知の文字認識装置を採用することができる。前記文字認識部２０で認識された人名情報は、後述のメモリ部５０に保存される。前記文字認識部２０で認識された人名情報は、後述のデータ処理部６０を経て前記メモリ部５０に保存されることもできる。
【００２１】
前記分離装置３１は、慶弔金が収納された封筒１００と、該封筒１００に収納された慶弔金を分離する装置である。前記分離装置３１は、本発明の核心的な構成要素である。前記分離装置３１は、移送部３１０と、加圧部３２０と、分離部３３０とを備えている。
【００２２】
前記移送部３１０は、慶弔金が入った封筒１００を移送する作用をする。前記加圧部３２０は、前記移送部３１０の一端部に配置されている。前記加圧部３２０は、前記封筒１００の両側部を固定した状態で前記封筒１００の入口が開かれるように前記封筒１００に力を加える。前記分離部３３０は、前記加圧部３２０により入口が開かれた前記封筒１００から慶弔金を取り出す作用をする。
【００２３】
前記分離装置３１は、様々な形態で構成することができ、以下では、前記分離装置３１の実施形態を順次説明する。便宜上、前記分離装置３１の実施形態を叙述する順序によって第１実施形態、第２実施形態、第３実施形態、第４実施形態と称することにする。前記分離装置３１の実施形態は、叙述された実施形態に限定されるものではない。
【００２４】
図２ないし図５は、前記分離装置３１の第１実施形態を説明するための図である。
【００２５】
図２ないし図５に示すように、前記分離装置３１は、移送部３１０と、加圧部３２０と、分離部３３０とを備えている。
【００２６】
前記移送部３１０は、コンベヤーベルト３１２と回転ブラシ３１４とを備えている。
【００２７】
前記コンベヤーベルト３１２は、賀客や弔問客が慶弔金の入った封筒１００を投入した場合、該封筒１００を後述の加圧部３２０まで移送する装置である。前記コンベヤーベルト３１２は、封筒１００の表面に記載された人名情報を該封筒１００の上側または下側で認識しやすいように透明な素材で製造されることができる。前記コンベヤーベルト３１２は、公知のコンベヤーベルト３１２の構造を採用することができるので、詳細な構造に関する叙述は省略する。
【００２８】
前記回転ブラシ３１４は、前記コンベヤーベルト３１２の上側に配置されている。前記回転ブラシ３１４は、モータのような駆動源によって駆動されることができる。前記回転ブラシ３１４の表面には、封筒１００との摩擦力を増加させるブラシが備えられることが好ましい。前記回転ブラシ３１４は、前記コンベヤーベルト３１２に沿って移送される封筒１００のカバーに回転摩擦力を加えて、該カバーが開かれるようにする。
【００２９】
前記加圧部３２０は、ガイド部３２２と、加圧部材とを備えている。
【００３０】
前記ガイド部３２２は、前記コンベヤーベルト３１２の端部に該コンベヤーベルト３１２の長さ方向に配置されている。前記ガイド部３２２は、前記移送部３１０から移送された封筒１００の両側の角を案内する作用をする。前記ガイド部３２２は、前記封筒１００の両側の角が接触するか、近接した状態で摺動するように支持する側壁３２３と、前記封筒１００の下面を支持する底３２４とを備えている。
【００３１】
前記加圧部材３２６は、前記ガイド部３２２に対して出没可能に設けられている。前記加圧部材３２６は、モータ、空圧、油圧等のような動力源によって前記ガイド部３２２の長さ方向に対して垂直な方向に往復動可能に設けられている。さらに具体的に、前記加圧部材３２６は、前記封筒１００の側方の角に対して垂直な方向に出没可能に設けられている。すなわち、前記封筒１００の側方の角が相互接近する方向に力を加えるように設けられている。前記加圧部材３２６は、互いに向かい合う方向に一対が設けられている。前記加圧部材３２６は、前記封筒１００と接触する部位が弾性変形可能な素材または構造を含んでいる。これは、前記加圧部材３２６によって前記封筒１００が損傷されることを防止するための目的である。
【００３２】
前記分離部３３０は、ピン部材３３２と、回転軸３３４とを備えている。
【００３３】
前記ピン部材３３２は、前記封筒１００の入口に接近して、前記封筒１００の内部に挿入される部材である。前記ピン部材３３２は、前記封筒１００の入口に接近した状態で、該封筒１００入口の中央部を軽く押した状態で自由端部が相互開かれることにより、封筒１００に収納された紙幣２００が該封筒１００から容易に分離され得る状態に作る作用をする。
【００３４】
前記回転軸３３４は、前記ピン部材３３２により開かれた封筒１００の入口が下方に向けるように回転させるために設けられたものである。すなわち、前記回転軸３３４は、前記ガイド部３２２が前記移送部３１０に対して回転できるように結合する手段である。前記回転軸３３４は、ギヤのような動力伝達手段によってモータのような駆動源に接続されることができる。
【００３５】
図６ないし図８は、前記分離装置３２の第２実施形態を説明するための図である。
【００３６】
図６ないし図８に示すように、前記分離装置３２は、移送部３１０と、加圧部３２０と、分離部３３０とを備えている。
【００３７】
前記移送部３１０と前記加圧部３２０とは、図２ないし図５を参照して説明した第１実施形態と同様であるため、詳細な叙述は、第１実施形態を参照することとする。
【００３８】
前記分離部３３０は、エアーノズル３３６と回転軸３３４とを備えている。
【００３９】
前記エアーノズル３３６は、前記第１実施形態で叙述されたピン部材３３２に対応する構成要素である。前記エアーノズル３３６は、前記封筒１００の入口に接近して、前記封筒１００の内部に向けて空気を噴射する。前記エアーノズル３３６は、ホースのような接続手段によって、例えば、コンプレッサ（ｃｏｍｐｒｅｓｓｏｒ）のような空圧発生手段に接続されることができる。
【００４０】
前記回転軸３３４は、前記封筒１００の入口が下方に向けるように回転させる作用をする。前記回転軸３３４は、第１実施形態の叙述を参照することとする。
【００４１】
図９ないし図１１は、前記分離装置３３の第３実施形態を説明するための図である。
【００４２】
図９ないし図１１に示すように、前記分離装置３３は、移送部３１０と、加圧部３２０と、分離部３３０とを備えている。
【００４３】
前記移送部３１０と前記加圧部３２０とは、図２ないし図５を参照して説明した第１実施形態と同様であるため、詳細な叙述は、第１実施形態を参照することとする。
【００４４】
前記分離部３３０は、吸着板３３８と回転軸３３４とを備えている。
【００４５】
前記吸着板３３８は、前記第１実施形態で叙述されたピン部材３３２に対応する構成要素である。前記吸着板３３８は、一対が備えられている。前記吸着板３３８は、前記封筒１００の上面と下面とに接近して、前記封筒１００の上面と下面とが互いに遠ざかる方向に吸着力が作用するようにする。前記吸着板３３８は、ホースのような接続手段によって、例えば、真空ポンプのような吸着力発生手段に接続されることができる。前記吸着板３３８により負圧が発生すると、前記封筒１００の上面と下面とが互いに遠ざかる方向に移動して封筒１００の入口が開かれることにより、該封筒１００に収納された紙幣２００が該封筒１００から分離されやすい状態となる。一対の前記吸着板３３８は、リンク構造またはヒンジ構造等の接続手段によって互いに接続されることができる。図９に示された一対の吸着板３３８は、リンク構造によって相互接続されている。
【００４６】
前記回転軸３３４は、前記封筒１００の入口が下方に向けるように回転させる作用をする。前記回転軸３３４は、第１実施形態の叙述を参照することとする。
【００４７】
図１２ないし図１５は、前記分離装置３４の第４実施形態を説明するための図である。
【００４８】
図１２ないし図１５に示すように、前記分離装置３４は、移送部３１０と、加圧部３２０と、分離部３３０とを備えている。
【００４９】
前記移送部３１０と前記加圧部３２０とは、図２ないし図５を参照して説明した第１実施形態と同様であるため、詳細な叙述は、第１実施形態を参照することとする。
【００５０】
前記分離部３３０は、ピックアップ部材３４０を備えている。
【００５１】
前記ピックアップ部材３４０は、前記第１実施形態で叙述されたピン部材３３２に対応する構成要素である。前記ピックアップ部材３４０は、やっとこ形状で構成されている。前記ピックアップ部材３４０に形成されたやっとこ形状の下側構成要素には、前記封筒１００の内部に該ピックアップ部材３４０が進入しやすいように、尖って突出した進入ガイド３４２が設けられている。前記ピックアップ部材３４０は、封筒１００内部に進入して、該封筒１００に収納された紙幣２００を取り出すことができるように前後進可能に設けられている。また、前記ピックアップ部材３４０は、前記封筒１００から取り出した紙幣を下方に落とすことができるように、回転可能に設けられることができる。図１５に示すように、前記ピックアップ部材３４０が回転した状態を概念的に理解することができる。
【００５２】
以上、前記分離装置３１のいくつかの実施形態について叙述した。
【００５３】
前記紙幣計数部４０は、前記分離装置３１から分離された紙幣を計数する。前記紙幣計数部４０は、公知の紙幣計数装置を採用して実現することができるので、詳細な叙述は省略する。前記分離装置３１を通過した封筒１００は、保管箱に整理されて保管されることができる。また、前記紙幣計数部４０を通過した紙幣は、封筒１００の保管とは別に設けられた保管箱に整理されて保管されることができる。
【００５４】
前記メモリ部５０は、前記文字認識部２０で認識した人名情報と前記紙幣計数部４０で計数された慶弔金情報とを保存する。
【００５５】
前記データ処理部６０は、コンピュータの中央処理装置（ＣＰＵ）に該当する部分であって、前記メモリ部５０に保存された情報を加工処理する。前記データ処理部６０によって加工されたデータは、ディスプレイ装置を介して外部からみえるように顕示するか、プリンタによって印刷され得る。また、前記データ処理部６０で加工されたデータは、エクセル（Ｅｘｃｅｌ）のようなコンピュータプログラムで活用できる形態に変換されて、前記メモリ部５０に格納されることもできる。
【００５６】
以下では、上記のような構成要素を含む慶弔金自動受付処理システム１０の作用を詳細に叙述する。
【００５７】
まず、慶弔金自動受付処理システム１０に賀客や弔問客が、慶弔金が入った封筒１００を投入したと仮定する。また、前記封筒１００の裏面には、賀客や弔問客の名前や所属のような人名情報が記載されていると仮定する。
【００５８】
前記自動受付処理システム１０に投入された慶弔金が入った封筒１００は、前記移送部３１０を通過するようになる。前記移送部３１０を通過する封筒１００の裏面に記載された人名情報は、前記文字認識部２０によってイメージとして認識された後、文字に変換されて前記メモリ部５０に保存される。
【００５９】
前記移送部３１０を介して移送された封筒１００のカバーは、前記回転ブラシ３１４により開かれた状態となる。前記回転ブラシ３１４は、前記封筒１００のカバーに回転摩擦力を加えて、該封筒１００のカバーが少し開かれた状態となるようにする。
【００６０】
前記回転ブラシ３１４を通過した封筒１００は、前記加圧部３２０に進入する。前記加圧部３２０に設けられたガイド部３２２に沿って前記封筒１００が摺動する。前記封筒１００が前記コンベヤーベルト３１２から完全に外れると、該封筒１００は、もう以上進行せずに停止するようになる。該封筒１００の両側の角を前記加圧部材３２６が突出して加圧する。その結果、前記封筒１００の入口がさらに開かれた状態となる。この状態で前記ピン部材３３２が封筒１００内部に進入して、該封筒１００をさらに開放された状態となるようにする。そして、前記回転軸３３４が回転して前記ガイド部３２２と前記ピン部材３３２とが回転する。図４は、前記ガイド部３２２と前記ピン部材３３２とが回転した状態をみせている。図４のような状態では、前記封筒１００に収納された紙幣２００が重力によって該封筒１００から離脱し、下方に落ちるようになる。このように、前記封筒１００から分離された紙幣は、前記紙幣計数部４０で計数されることにより、慶弔金に関する情報が前記メモリ部５０に保存される。この場合、前記データ処理部６０では、前記封筒１００で認識された人名情報と前記紙幣計数部４０で計数された慶弔金情報とを互いに連結して保存するようにする後処理作業をする。
【００６１】
前記分離装置３１で封筒１００と紙幣２００とを分離する構造は、第１実施形態のように、ピン部材３３２と回転軸３３４とを備えることができ、第２実施形態のように、前記ピン部材３３２の代わりに、前記エアーノズル３３６を使用することもできる。また、前記ピン部材３３２の代わりに、第３実施形態のように、封筒１００の上下面に近接して吸着力を発生させる前記吸着板３３８が採用されることもできる。一方、第４実施形態では、前記ガイド部３２２に進入した封筒１００からやっとこ形状のピックアップ部材３４０を使用して紙幣２００を封筒１００から取り出した後、該ピックアップ部材３４０を回転させてから、該ピックアップ部材３４０によって前記封筒１００から分離された紙幣を下方に落とすこともできる。第４実施形態のような場合は、第１実施形態ないし第３実施形態とは異なり、回転軸が備えられないこともある。
【００６２】
前記メモリ部５０に格納されたデータは、前記データ処理部６０によって後加工されることにより、ユーザが使用しやすい形態に変換して出力するか、格納することができる。前記メモリ部５０に格納されたデータは、有線または無線により他の場所に伝送されることもできる。また、前記メモリ部５０に格納されたデータは、汎用直列バス（ＵＳＢ）メモリ装置のような格納媒体に格納することもできる。
【００６３】
このように、本発明に係る慶弔金自動受付処理システム１０は、賀客や弔問客が、慶弔金が収納された封筒１００を投入すると、その後の慶弔金受付処理が自動でなされることができるので、婚主や喪主が慶弔金受付に対する負担から解放され得るだけでなく、受け付けられた慶弔金の紛失や横領の危険も遮断できるという効果を提供する。前記慶弔金自動受付処理システム１０に採用された分離装置３１は、封筒１００と、該封筒１００に収納された紙幣２００とを極めて効果的にかつ正確に分離できるので、従来の慶弔金自動受付処理装置に比べて処理性能が顕著に向上した効果がある。
【００６４】
以上、好ましい実施形態などを挙げて本発明について説明したが、本発明がそのような例などによって限定されるものではなく、本発明の技術的思想を逸脱しない範囲内で様々な形の実施形態が具体化され得るであろう。
【符号の説明】
【００６５】
１０  慶弔金自動受付処理システム、２０  文字認識部、３１，３２，３３，３４  分離装置、４０  紙幣計数部、５０  メモリ部、６０  データ処理部、１００  封筒、２００  紙幣、３１０  移送部、３１２  コンベヤーベルト、３１４  回転ブラシ、３２０  加圧部、３２２  ガイド部、３２３  側壁、３２４  底、３２６  加圧部材、３３０  分離部、３３２  ピン部材、３３４  回転軸、３３６  エアーノズル、３３８  吸着板、３４０  ピックアップ部材、３４２  進入ガイド。
【図１】
0005498622.tif 000002
【図２】
0005498622.tif 000003
【図３】
0005498622.tif 000004
【図４】
0005498622.tif 000005
【図５】
0005498622.tif 000006
【図６】
0005498622.tif 000007
【図７】
0005498622.tif 000008
【図８】
0005498622.tif 000009
【図９】
0005498622.tif 000010
【図１０】
0005498622.tif 000011
【図１１】
0005498622.tif 000012
【図１２】
0005498622.tif 000013
【図１３】
0005498622.tif 000014
【図１４】
0005498622.tif 000015
【図１５】
0005498622.tif 000016